(57)【要約】【課題】執務空間におけるカート装置及ぶテーブル什器の設置面積を最小限としつつ、執務者の使い勝手を良好とし、使用時の安全性にも十分に配慮することができるカート装置を提供する。【解決手段】カート装置１は、ベース部２と、支持基体３と、カート天板４と、天板支持部５と、支持基体３に設けられ、カート天板４及び天板支持部５を含むカート天板４の下面に垂下して設けられた下面取付部材６の高さを調整する高さ調整手段７とを備え、高さ調整手段７は、カート天板４及び下面取付部材６が、組み合わせて用いられるテーブル什器のテーブル天板の上面より高い位置となる第一調整領域と、カート天板４の上面が、少なくともテーブル天板の上面以下の高さとなる第二調整領域とに調整可能であるとともに、第一調整領域と第二調整領域との間が固定不能な固定不可領域としていることを特徴とする。【選択図】図１
2013017703.tif 000002
【特許請求の範囲】
【請求項１】
床面上を走行可能な複数のキャスターが設けられたベース部と、
該ベース部から上方に向かって立設された支持基体と、
該支持基体の上方に配されたカート天板と、
前記支持基体に取り付けられ、前記カート天板を支持する天板支持部と、
前記支持基体に設けられ、前記カート天板及び前記天板支持部を含む前記カート天板の下面に垂下して設けられた下面取付部材の高さを調整する高さ調整手段とを備え、
前記カート天板及び前記天板支持部に囲まれるようにして、前方、左方、及び右方に連続して開口する前部空間を形成し、
前記高さ調整手段は、
前記カート天板及び前記下面取付部材が、組み合わせて用いられるテーブル什器のテーブル天板の上面より高い位置となる第一調整領域と、
前記カート天板の上面が、少なくとも前記テーブル天板の上面以下の高さとなる第二調整領域とに調整可能であるとともに、
前記第一調整領域と第二調整領域との間が固定不能な固定不可領域としていることを特徴とするカート装置。
【請求項２】
請求項１に記載のカート装置において、
前記高さ調整手段は、
前記第二調整領域内で、前記カート天板の上面が前記テーブル天板の上面と同じ高さとなる位置に調整可能であることを特徴とするカート装置。
【請求項３】
請求項１又は請求項２に記載のカート装置において、
前記高さ調整手段は、
前記第二調整領域内で、前記カート天板の上面が前記テーブル天板の下面よりも低くなる位置に調整可能であることを特徴とするカート装置。
【請求項４】
請求項１から請求項３のいずれか一項に記載のカート装置において、
前記高さ調整手段は、
前記第一調整領域内で、複数の位置に調整可能であることを特徴とするカート装置。
【請求項５】
請求項１から請求項４のいずれか一項に記載のカート装置において、
前記支持基体は、
前記ベース部に設けられた第一支持部材と、
前記天板支持部に取り付けられ前記天板支持部に対して上下方向に進退可能な第二支持部材とを有し、
前記高さ調整手段は、
前記第一支持部材又は前記第二支持部材のいずれか一方に設けられた被係合部と、
前記第一支持部材又は前記第二支持部材の他方に設けられ、前記被係合部と第一調整領域に対応する位置で係合可能な第一係合部、及び前記第二調整領域に対応する位置で係合可能な第二係合部とを有するとともに、
前記第一係合部と前記第二係合部との間に設けられ、前記被係合部を案内する案内部を有することを特徴とするカート装置。
【請求項６】
請求項１から請求項５のいずれか一項に記載のカート装置において、
前記高さ調整手段は、
前記被係合部を、前記第一係合部又は前記第二係合部と係合された係合状態と前記第一係合部又は前記第二係合部との係合が解除された解除状態に相互に切替可能な切替部を有することを特徴とするカート装置。
【請求項７】
請求項１から請求項６のいずれか一項に記載のカート装置において、
前記切替部は、
前記第二支持部材に設けられ、前記被係合部と前記係合状態となる位置から前記解除状態となる位置まで所定のスライド方向にスライド可能に支持する第一スライド支持部と、
前記第二支持部材に対して上下方向に進退可能に設けられ、被係合部を前記スライド方向に沿って次第に上下方向に相対移動するようにスライド可能に支持する第二スライド支持部とを有すること特徴とするカート装置。
【請求項８】
請求項１から請求項７のいずれか一項に記載のカート装置において、
前記下面取付部材として前記カート天板の下面に支持されて、物品を載置可能な物品載置部を備えていることを特徴とするカート装置。
【発明の詳細な説明】
【技術分野】
【０００１】
本発明は、カート装置、特にオフィス、病院、又は公共施設等における執務空間にて使用される電子機器載置用天板を有するカートとして好適なカート装置に関するものである。
【背景技術】
【０００２】
従来、オフィス、病院、公共施設等における執務空間においては、執務空間内の様々な場所に移動しながら電子機器を用いて執務を行う場合がある。この場合、カート装置の天板上に電子機器を載置し、執務者がカート装置と共に移動し、随時必要に応じた場所にて執務が行われていた。
ここで、多人数の執務者が、各々のカート装置を用いて執務を行う場合には、カート装置の面積及び台数に応じた収納場所が必要となる。また、カート装置に電子機器を載置した状態で、電子機器への充電を行う場合には、電源周辺に複数のカート装置が集中して配置されるので、電源周辺エリアが煩雑になってしまうという状況があった。
そこで、カート装置の天板下方において、移動方向の前方、左方、及び右方の空間が連続して開放され、その空間部分に前方より後方に向かってテーブル什器の天板の挿入を可能とするカート装置が採用されている（例えば、下記特許文献１参照）。これにより、カート装置の天板の下方にテーブル什器の天板が重合して配設されるので、全体として設置面積を小さくしつつ、且つ重合した状態で電子機器の使用が可能である。
また、執務者の体格や使用態様に合わせて、カート装置の天板高さの調整を可能とする高さ調整機能を有するカート装置も採用されている（例えば、下記特許文献２、３参照）。
【先行技術文献】
【特許文献】
【０００３】
【特許文献１】特開２００８−０１７９２９号公報
【特許文献２】特許第４６１６７４１号公報
【特許文献３】特許第４３４５４５０号公報
【発明の概要】
【発明が解決しようとする課題】
【０００４】
ここで、前述のテーブル什器と重合して配設することができるカート装置（例えば、特許文献１参照）に、前述の高さ調整機能（例えば、特許文献２、３参照）を付加させたカート装置を採用することが考えられる。
しかしながら、前述の高さ調整機能は、一定領域において任意の高さに高さ調整が可能な仕様となっている。よって、カート装置の天板の下方にテーブル什器の天板を重合して配設する場合に、カート装置の天板高さ次第では、カート装置の天板又はカート装置の天板の下方に設けられた棚若しくは支持部材等とテーブル什器の天板とが干渉してしまうという問題があった。
【０００５】
本発明は、前述の従来技術における問題を解決するために、執務空間におけるカート装置及びテーブル什器の設置面積を最小限としつつ、執務者の使い勝手を良好とし、使用時の安全性にも十分に配慮したカート装置を提供することを目的とするものである。
【課題を解決するための手段】
【０００６】
上記目的を達成するために、本発明は以下の手段を採用している。
すなわち、本発明に係るカート装置は、床面上を走行可能な複数のキャスターが設けられたベース部と、該ベース部から上方に向かって立設された支持基体と、該支持基体の上方に配されたカート天板と、前記支持基体に取り付けられ、前記カート天板を支持する天板支持部と、前記支持基体に設けられ、前記カート天板及び前記天板支持部を含む前記カート天板の下面に垂下して設けられた下面取付部材の高さを調整する高さ調整手段とを備え、前記カート天板及び前記天板支持部に囲まれるようにして、前方、左方、及び右方に連続して開口する前部空間を形成し、前記高さ調整手段は、前記カート天板及び前記下面取付部材が、組み合わせて用いられるテーブル什器のテーブル天板の上面より高い位置となる第一調整領域と、前記カート天板の上面が、少なくとも前記テーブル天板の上面以下の高さとなる第二調整領域とに調整可能であるとともに、前記第一調整領域と前記第二調整領域との間が固定不能な固定不可領域としていることを特徴とする。
【０００７】
この構成では、高さ調整手段により第一調整領域にカート天板の高さ調整が可能なので、カート天板及び下面取付部材をテーブル天板の上面より高い位置に、カート装置の高さを調整することができる。そして、第一調整領域に調整した状態では、カート天板下方に設けられて前方、左方及び右方に連続して開口する前部空間に、テーブル天板を配設することができるので、カート装置及びテーブル什器の設置面積を最小限にすることが可能となる。
また、高さ調整手段により第二調整領域にカート天板の高さ調整が可能なので、カート天板の上面の高さがテーブル天板の上面の高さ以下の高さになる位置に、カート装置の高さを調整することができる。
また、高さ調整手段は、第一調整領域と第二調整領域の間の固定不可領域では、カート天板の固定が不可能なので、カート天板及び下面取付部材とテーブル天板が干渉する高さに、カート装置の天板の高さを調整することができない。よって、カート天板及び下面取付部材とテーブル天板が不用意に干渉してしまうことがないので、執務者の使用時の安全性も十分に配慮される。
【０００８】
また、本発明に係るカート装置は、前記高さ調整手段は、前記第二調整領域内で、前記カート天板の上面が前記テーブル天板の上面と同じ高さとなる位置に調整可能であることを特徴とする。
【０００９】
この構成では、第二調整領域内におけるカート天板の高さ調整により、カート天板の上面をテーブル天板の上面と同じ高さにすることができる。よって、執務者がカート装置とテーブル什器を並べて執務する場合には、カート天板とテーブル天板が同一平面上にあるので、使い勝手を良好にすることができる。
【００１０】
また、本発明に係るカート装置は、前記高さ調整手段は、前記第二調整領域内で、前記カート天板の上面が前記テーブル天板の下面よりも低くなる位置に調整可能であることを特徴とする。
【００１１】
この構成では、第二調整領域内におけるカート天板の高さ調整により、カート天板の上面がテーブル天板の下面よりも低くなる位置に、カート装置の高さを調整することができる。よって、テーブル天板の下方に設けられた空間にカート天板を配設することができるので、カート装置及びテーブル什器の設置面積を最小限にすることが可能となる。
【００１２】
また、本発明に係るカート装置は、前記高さ調整手段は、前記第一調整領域内で、複数の位置に調整可能であることを特徴とする。
【００１３】
この構成では、第一調整領域内で複数の位置に、カート装置の高さを調整することができる。よって、特に、カート天板の下方に設けられた前部空間にテーブル天板を配設した状態で、執務者にとってより最適なカート天板の高さにて執務をすることができるので、使い勝手をより一層良好にすることができる。
【００１４】
また、本発明に係るカート装置は、前記支持基体は、前記ベース部に設けられた第一支持部材と、前記天板支持部に取り付けられ前記天板支持部に対して上下方向に進退可能な第二支持部材とを有し、前記高さ調整手段は、前記第一支持部材又は前記第二支持部材のいずれか一方に設けられた被係合部と、前記第一支持部材又は前記第二支持部材の他方に設けられ、前記被係合部と第一調整領域に対応する位置で係合可能な第一係合部、及び前記第二調整領域に対応する位置で係合可能な第二係合部とを有するとともに、前記第一係合部と前記第二係合部との間に設けられ、前記被係合部を案内する案内部を有することを特徴とする。
【００１５】
この構成では、第一支持部材又は第二支持部材のいずれか一方に設けられた被係合部と、第一支持部材又は第二支持部材の他方に設けられた第一係合部又は第二係合部が係合することにより、第一支持部材と第二支持部材の相対的な上下方向の位置関係が決まる。ここで、ベース部の上に第一支持部材が設けられ、第二支持部材は天板支持部に取り付けられ、天板支持部はカート天板を支持している。また、被係合部と第一係合部又は第二係合部が係合されれば、第一調整領域又は第二調整領域に対応する位置となる。よって、被係合部と第一係合部又は第二係合部が係合されることにより、第一調整領域又は第二調整領域においてカート装置の高さを調整することが可能となる。
さらに、第一係合部と第二係合部との間には被係合部を案内する案内部があるので、被係合部は、第一係合部と第二係合部との間において、係合されることなく第一係合部又は第二係合部へと案内されることとなる。よって、カート装置は、第一調整領域と第二調整領域との間において固定不可領域として固定されることなく、第一調整領域または第二調整領域でカート装置の高さ調整が可能となる。
【００１６】
また、本発明に係るカート装置は、前記高さ調整手段は、前記被係合部を、前記第一係合部又は前記第二係合部と係合された係合状態と前記第一係合部又は前記第二係合部との係合が解除された解除状態に相互に切替可能な切替部を有することを特徴とする。
【００１７】
この構成では、被係合部を第一係合部又は第二係合部と係合された係合状態にすると、カート装置を第一調整領域又は第二調整領域の対応する位置に固定させることができる。また、被係合部を第一係合部又は第二係合部との係合が解除された解除状態にすると、カート装置を上下方向に移動させることができる。さらに、係合状態と解除状態を切替可能な切替部を有することにより、カート装置を上下に移動させるとともに、カート装置を第一調整領域又は第二調整領域にて固定させることが可能となる。
【００１８】
また、本発明に係るカート装置は、前記切替部は、前記第二支持部材に設けられ、前記被係合部と前記係合状態となる位置から前記解除状態となる位置まで所定のスライド方向にスライド可能に支持する第一スライド支持部と、前記第二支持部材に対して上下方向に進退可能に設けられ、被係合部を前記スライド方向に沿って次第に上下方向に相対移動するようにスライド可能に支持する第二スライド支持部とを有すること特徴とする。
【００１９】
この構成では、第二スライド支持部は、上下方向に進退可能であり、被係合部の上下方向の移動を可能としている。よって、第二スライド支持部が上側又は下側に向かって移動することにより、被係合部は相対的に下側又は上側に向かって移動し、これに伴ってスライド方向のいずれかの側に向かって移動させられる。
したがって、係合状態にある被係合部を、第一スライド支持部及び第二スライド支持部をスライドすることにより解除状態に切替えることができる。あるいは、解除状態にある被係合部を、第一スライド支持部及び第二スライド支持部をスライドすることにより係合状態に切替えることができる。
【００２０】
また、本発明に係るカート装置は、前記下面取付部材として前記カート天板の下面に支持されて、物品を載置可能な物品載置部を備えていることを特徴とする。
【００２１】
この構成では、下面取付部材としてカート天板の下面に物品載置部が設けられ物品を載置することができるので、執務者の使い勝手を良好にする。また、物品載置部がカート天板の下面に支持されているので、物品の荷重をカート装置にて確実に支持し転倒する恐れがないので、執務者の使用時の安全性にも十分配慮される。
【発明の効果】
【００２２】
本発明に係るカート装置によれば、執務空間におけるカート装置及びテーブル什器の設置面積を最小限としつつ、執務者の使い勝手を良好とし、使用時の安全性にも十分に配慮することができる。
【図面の簡単な説明】
【００２３】
【図１】本発明の第一実施形態に係るカート装置の縦断面図である。
【図２】本発明の第一実施形態に係るカート装置の立面図である。
【図３】本発明の第一実施形態に係るカート装置の平面図である。
【図４】本発明の第一実施形態に係るカート装置の第一調整領域、第二調整領域、固定不可領域を示す立面図である。
【図５】本発明の第一実施形態に係るカート装置を第一調整領域に高さ調整した場合の立面図である。
【図６】本発明の第一実施形態に係るカート装置を第二調整領域に高さ調整した場合の立面図である。
【図７】第二調整領域内で係合状態にある場合における高さ調整手段部分の図１のＡ−Ａ断面図である。
【図８】第二調整領域内で係合状態にある場合における高さ調整手段部分の図２のＢ−Ｂ断面図である。
【図９】第一支持部材、第二支持部材、及びレバー部材の関係を示すイメージ図である。
【図１０】第二調整領域内で解除状態にある場合における高さ調整手段部分の図２のＢ−Ｂ断面図である。
【図１１】第一調整領域と第二調整領域の間における高さ調整手段部分の図２のＢ−Ｂ断面図である。
【図１２】第二調整領域内で解除状態にある場合における高さ調整手段部分の図２のＢ−Ｂ断面図である。
【図１３】第二調整領域内で係合状態にある場合における高さ調整手段部分の図２のＢ−Ｂ断面図である。
【図１４】本発明の第一実施形態の変形例に係るカート装置を第二調整領域に高さ調整した場合の立面図である。
【発明を実施するための形態】
【００２４】
（第一実施形態）
以下、本発明の第一実施形態に係るカート装置１について、図面を参照して説明する。
（全体構成）
図１乃至図３に示すように、本発明に係るカート装置１は、床面Ｆ上を走行可能な複数のキャスター２１が設けられたベース部２と、ベース部２から上方向かって立設された支持基体３と、支持基体３の上方に配されたカート天板４と、支持基体３に取り付けられ、カート天板４を支持する天板支持部５と、支持基体３に設けられ、カート天板４及び天板支持部５を含むカート天板４の下面に垂下して設けられた下面取付部材６の高さを調整する高さ調整手段７と、操作ハンドル部８と、を備える。そして、執務者は、カート天板４上に載置した電子機器を使用可能であるとともに、操作ハンドル部８を把持して操作力を与えることでキャスター２１により床面Ｆ上でカート装置１を移動させることが可能となっている。ここで、執務者が操作ハンドル部８と対向するように位置して操作ハンドル部８を押し引きする方向となる図３の紙面上下方向をカート装置１の前後方向Ｙとし、操作ハンドル部８を押す側となる紙面上側をカート装置１の「前方」、操作ハンドル部８を引く側となる紙面下側をカート装置１の「後方」と称する。また、平面視して前後方向Ｙと直交する方向となる図３の紙面左右方向をカート装置１の左右方向Ｘとし、紙面右側をカート装置１の「右側」、紙面左側をカート装置１の「左側」と称する。そして、カート装置１は、前部において、カート天板４及び天板支持部５と、ベース部２とに囲まれるようにして、前方、左方、及び右方に連続して開口する前部空間９が形成されており、後述するようにテーブル什器Ｔのテーブル天板Ｂを挿入可能となっている。
以下、各構成の詳細を説明する。
【００２５】
（支持基体３の構成）
支持基体３は、ベース部２に設けられた第一支持部材３１と、天板支持部５に取り付けられ天板支持部５に対して上下方向に進退可能な第二支持部材３２と、を有する。
図７に示すように、第一支持部材３１は、上下方向に沿って配された筒状の外装部１３６と、外装部１３６の内部に挿入された筒状の内装部１３７とを有する。内装部１３７の上端にはフランジ状に張り出した張出部１３８が設けられている。そして、内装部１３７の張出部１３８が外装部１３６の上端部に係止され、内装部１３７と外装部１３６とは一体として第一支持部材３１を構成している。
第二支持部材３２は、第一支持部材３１の内装部１３７の内部に挿入された筒状の部材であり、第一支持部材３１の内部を上下方向に進退することができる。第二支持部材３２は、上端にて天板支持部５が取り付けられカート天板４を支持している。また、第二支持部材３２には、後述する高さ調整手段７の第一スライド支持部１７１が設けられている。
【００２６】
（下面支持部材の構成）
カート天板４の下面に垂下して設けられる下面取付部材６としては、天板支持部５の他に、本実施形態ではさらに、カート天板４の下面に支持されて、物品を載置可能な物品載置部６１を備えている。物品載置部６１には、物品として、書類などを収容可能なトレイを配置しても良いし、カート天板４上で使用する電子機器のバッテリを配置しても良い。
【００２７】
（高さ調整手段７の構成）
高さ調整手段７は、図４に示すように、カート天板４及び下面取付部材６が、組み合わせて用いられるテーブル什器Ｔのテーブル天板Ｂの上面Ｂ１より高い位置となる第一調整領域Ｒ１と、カート天板４の上面４ａが、テーブル天板Ｂの上面Ｂ１と同じ高さとなる第二調整領域Ｒ２とに調整可能であるとともに、第一調整領域Ｒ１と第二調整領域Ｒ２との間を固定不能な固定不可領域Ｒ３としている。以下、詳細を説明する。
図７は図１における切断線Ａ−Ａでの断面図である。また、図８は図２における切断線Ｂ−Ｂでの断面図である。ここで、後述するレバー部材７６については理解を容易にするため仮想線で示している（図１０乃至図１３も同じ）。
図７乃至図９に示すように、高さ調整手段７は、第二支持部材３２に設けられた被係合部であるピン部材７１と、第二支持部材３２の外周面から突出する突設部７９と、第一支持部材３１に設けられてピン部材７１及び突設部７９を係合し、また、案内する案内構造Ｓと、案内構造Ｓにピン部材７１が係合された係合状態と、係合が解除された解除状態に切り替える切替部７５とを有する。
ピン部材７１の両端部は、第二支持部材３２を貫通して、第二支持部材３２の両側から突出している。
また、案内構造Ｓは、第一支持部材３１の内装部１３７の内周面において、ピン部材７１の両端部のそれぞれと対応する位置に形成され、ピン部材７１の各端部が挿入された溝である。具体的には、案内構造Ｓは、ピン部材７１を第一調整領域Ｒ１に対応する位置で係合可能な第一係合部である第一凹部７２と、ピン部材７１を第二調整領域Ｒ２に対応する位置で係合可能な第二係合部である第二凹部７３と、第一凹部７２と第二凹部７３との間に設けられ、ピン部材７１を案内する案内部である第一案内溝７４と、第一案内溝７４と略平行に配設され、突設部７９を案内する第二案内溝８０と、を備える。
第一案内溝７４及び第二案内溝８０は、上下方向に沿うようにして配設されている。
そして、第一案内溝７４は、ピン部材７１の端部を挿入可能であり、挿入されたピン部材７１の端部を上下方向に案内可能である。また、第二案内溝８０には、突設部７９が挿入されており、挿入された突設部７９を上下方向に案内可能である。
【００２８】
第一凹部７２は、第一案内溝７４から直交する向きとなる周方向Ｄに延出された凹部であり、ピン部材７１を係合して上下方向に位置決めすることで、カート天板４及び下面取付部材６をテーブル什器Ｔのテーブル天板Ｂの上面Ｂ１より高い位置とする、すなわち第一調整領域Ｒ１に位置決めすることが可能である。
ここで、本実施形態では、第一凹部７２は、第一調整領域Ｒ１に対応する範囲で上下方向に互いに所定のピッチを有して複数形成されていて、最も上側に設けられたものが第一案内溝７４の上端に形成されている。
【００２９】
第二凹部７３は、第一案内溝７４から直交する向きとなる周方向Ｄに延出された凹部であり、ピン部材７１を係合して上下方向に位置決めすることで、カート天板４の上面４ａをテーブル什器Ｔのテーブル天板Ｂの上面Ｂ１と略等しい位置とする、すなわち第二調整領域Ｒ２に位置決めすることが可能である。
本実施形態では、第二凹部７３は、カート天板４の上面４ａをテーブル什器Ｔのテーブル天板Ｂの上面Ｂ１と略等しい位置と対応して、第一案内溝７４の下端に一つ形成されている。
そして、ピン部材７１は、以下に詳細を示す切替部７５により、第一凹部７２または第二凹部７３に挿入され係合された係合状態と、第一凹部７２及び第二凹部７３から離脱して第一案内溝７４内に位置し、上下方向に移動可能な解除状態とに切り替え可能となっている。
【００３０】
（切替部７５の構成）
切替部７５は、第二支持部材３２に設けられ、ピン部材７１が係合状態となる位置から解除状態となる位置まで所定のスライド方向にスライド可能に支持する第一スライド支持部１７１と、ピン部材７１をスライド方向に沿って次第に上下方向に移動するようにスライド可能に支持する第二スライド支持部１７２と、第二スライド支持部１７２を上下方向に移動させるレバー部材７６と、を備える。
レバー部材７６は、第二支持部材３２の内部に挿入された本体部１７７と、本体部１７７の上端から第二支持部材３２の外周側に向かって突出した把持部１７８とを有する。
本体部１７７は、第二支持部材３２に隙間を有して配設されているとともに、一部に第二支持部材３２の内周面に向かって突出し当接する突設部７９が形成されている。このため、本体部１７７は、第二支持部材３２に対して、上下方向と直交する方向に位置決めされつつ、上下方向に相対移動することが可能となっている。
また、第二支持部材３２には、把持部１７８と対応する位置に上下方向に沿って貫通孔１３９が形成されており、把持部１７８は、該貫通孔１３９を通って第二支持部材３２の内部から外部へと突出している。ここで、貫通孔１３９は、把持部１７８を上下方向に移動可能とするように上下方向に沿って延設されている。このため、レバー部材７６は、貫通孔１３９内で把持部１７８が上下方向に移動可能な範囲で第二支持部材３２に対して相対移動可能となっている。
また、第一スライド支持部１７１は、第二支持部材３２の中心軸に直交する周方向Ｄに細長に形成され、ピン部材７１が挿通された長穴である。そして、第一スライド支持部１７１は、細長の長手方向となる周方向Ｄをスライド方向として、スライド可能にピン部材７１を支持している。
また、第二スライド支持部１７２は、第一スライド支持部１７１のスライド方向に沿って次第に上下方向に向かうように傾斜して細長にレバー部材７６に形成され、ピン部材７１が挿通された長穴である。そして、第二スライド支持部１７２は、細長の長手方向に沿ってスライド可能にピン部材７１を支持している。
ここで、図８及び図１０に示すように、第一スライド支持部１７１の一端部Ｆ１及び第二スライド支持部１７２の一端部Ｓ１と、第一案内溝７４とは、周方向Ｄに位置を一致させている。
また、第一スライド支持部１７１の他端部Ｆ２及び第二スライド支持部１７２の他端部Ｓ２と、第一凹部７２及び第二凹部７３とは、周方向Ｄに位置を一致させている。
すなわち、第一スライド支持部１７１の一端部Ｆ１と第二スライド支持部１７２の一端部Ｓ１とは、上下方向に位置を一致させることで互いに連通可能であるとともに、第一案内溝７４と連通している。
また、第一スライド支持部１７１の他端部Ｆ２と第二スライド支持部１７２の他端部Ｓ２とは、上下方向に位置を一致させることで互いに連通可能であるとともに、第一凹部７２又は第二凹部７３とも上下方向の位置を一致させることで連通可能である。
【００３１】
（付勢手段の構成）
また、第二支持部材３２の内部には上下方向に第一の付勢手段としてガススプリング７７が設けられていて、常時上方向に付勢力が働いている。ガススプリング７７の上端は第二支持部材３２と固定され、下端は第一支持部材３１と固定されている。
第二支持部材３２の内部には上下方向に第二の付勢手段としてスプリング７８が設けられていて、常時上方向に付勢力が働いている。スプリング７８の上端はカート天板４と、下端はレバー部材７６と固定されている。
【００３２】
次に、本実施形態のカート装置１の作用について説明する。
図７及び図８においては、第一スライド支持部１７１及び第二スライド支持部１７２に支持されたピン部材７１は、第一支持部材３１に設けられた案内構造Ｓにおいて第二凹部７３に係合され、これにより第一支持部材３１と第二支持部材３２の相対的な上下方向の位置関係が位置決めされる。そして、第二凹部７３が第二調整領域Ｒ２と対応する位置に形成されていることから、図６に示すように、第二調整領域Ｒ２としてカート天板４の上面４ａをテーブル天板Ｂの上面Ｂ１と同じ高さにカート装置１の高さを調整することができる。よって、執務者がカート装置１とテーブル什器Ｔを並べて執務する場合には、カート天板４とテーブル天板Ｂが同一平面上にあるので、天板面を広く使用することができるので使用時の利便性を高め、使い勝手を良好にすることができる。
ここで、図７及び図８に示すように、第二凹部７３に係合されているピン部材７１は、第一スライド支持部１７１の他端部Ｆ２に位置しているとともに、第二スライド支持部１７２の他端部Ｓ２、すなわちスライド方向に対して上下方向に傾斜して配された第二スライド支持部１７２の上端側に位置している。その一方で、第二スライド支持部１７２が形成されたレバー部材７６は、スプリング７８により下方に向けて付勢されている。このため、第二スライド支持部１７２の他端部Ｓ２に位置するピン部材７１は、第二スライド支持部１７２に対して相対的に上方に付勢された状態となり、すなわちスプリング７８の付勢力により上側に位置する第二スライド支持部１７２の他端部Ｓ２に位置決めされ状態となっている。このため、ピン部材７１を、第二スライド支持部１７２の他端部Ｓ２と連通する第二凹部７３に係合された係合状態を確実に維持させることができる。さらに、レバー部材７６に設けられた突設部７９は、第二案内溝８０に挿入されていて、上下方向へは移動可能である一方、周方向Ｄへの移動は規制されている。このため、レバー部材７６及び第二支持部材３２がスプリング７８の付勢力により第一支持部材３１に対して周方向Ｄに相対移動してしまうことなく、第二凹部７３にピン部材７１が係合された状態を確実に維持することができる。
【００３３】
次に、第二調整領域Ｒ２から第一調整領域Ｒ１への切替について説明する。
第二調整領域Ｒ２から第一調整領域Ｒ１に、上下方向上側にカート天板４を移動させるためには、まずピン部材７１が第二凹部７３に係合された係合状態から、係合が解除された解除状態にする必要がある。
そこで、執務者は、レバー部材７６の把持部１７８を把持し、スプリング７８の付勢に抗して、第二支持部材３２に対してレバー部材７６を引き上げる。
ここで、ピン部材７１は、第二支持部材３２に形成された第一スライド支持部１７１に挿通されているため、周方向Ｄに沿うスライド方向にはスライド可能である一方、上下方向には移動を制限されたままである。
このため、図１０に示すように、レバー部材７６を引き上げることで、ピン部材７１は、レバー部材７６に形成された第二スライド支持部１７２に対して相対的に上下方向下側へ移動することとなる。すなわち、ピン部材７１は、第二スライド支持部１７２において上側に位置する第二スライド支持部１７２の他端部Ｓ２から、下側に位置する第二スライド支持部１７２の一端部Ｓ１へと相対移動し、これに伴ってスライド方向に沿っても移動することとなる。
これにより、ピン部材７１は、第一スライド支持部１７１及び第二凹部７３内でもスライド方向に移動し、第一スライド支持部１７１の一端部Ｆ１、第二凹部７３と連通する第一案内溝７４の下端に位置し、解除状態へと切り替わる。
この際、レバー部材７６に設けられた突設部７９は第二案内溝８０により周方向Ｄの移動が規制されているので、ピン部材７１がスライド方向に移動しても、レバー部材７６及び第二支持部材３２がこれに伴ってスライド方向と対応する周方向Ｄに移動してしまうことはない。
【００３４】
そして、解除状態となることで、ピン部材７１、ピン部材７１が支持された第二支持部材３２、及びレバー部材７６とともに、第二支持部材３２に固定されたカート天板４を、第一案内溝７４に沿って上下方向上側に向かって移動させることが可能な状態となる。
このため、レバー部材７６の把持部１７８を把持したまま、カート天板４及び第二支持部材３２に上向きの力を与えることで、カート天板４を第一調整領域Ｒ１に向かって上昇させることができる。
ここで、カート天板４及び第二支持部材３２は、第二支持部材３２の内部に配設され、上端が第二支持部材３２に固定され、下端が第一支持部材３１に固定されたガススプリング７７により、常時上下方向上向きの付勢力が働いている。このため、カート天板４及び第二支持部材３２の重力をガススプリング７７の付勢力にて負担することができ、容易にカート天板４を上下方向上側へ移動させることができ、執務者の上方向の高さ調整時の負担も軽減することができる。
【００３５】
また、第一調整領域Ｒ１と第二調整領域Ｒ２の間では、ピン部材７１は第一案内溝７４によって上下方向に沿って案内されるものの、上下方向への移動を規制する構造が存在せず、上下方向に固定されることはない。よって、第一調整領域Ｒ１と第二調整領域Ｒ２の間は、固定不能な固定不可領域Ｒ３となる。
【００３６】
このため、当該固定不可領域Ｒ３とされるカート天板４及び下面取付部材６とテーブル天板Ｂが干渉する高さには、カート装置１の高さを調整することができない。よって、高さ調整時におけるカート天板４及び下面取付部材６とテーブル天板Ｂの衝突を防止することができ、使用時の安全性も十分に配慮される。
【００３７】
そして、図１２に示すように、さらにカート天板４及び第二支持部材３２を上下方向上側に向かって移動させると、カート天板４は、第一調整領域Ｒ１まで位置することとなる。第一調整領域Ｒ１に位置すると、第一案内溝７４に挿入されたピン部材７１のスライド方向一方側には、その高さに応じていずれかの第一凹部７２が開口していることとなる。そして、
図１３に示すように、第一調整領域Ｒ１において固定させたい高さまでカート天板４を移動させて、レバー部材７６の把持部１７８を把持した状態を解除する。すると、レバー部材７６にはスプリング７８から下向きの付勢力が作用し、レバー部材７６は第二支持部材３２に対して相対的に下方に移動することとなる。このため、レバー部材７６に形成された第二スライド支持部１７２も、第二支持部材３２の第一スライド支持部１７１によって上下方向の移動が規制されたピン部材７１に対して相対的に下方に移動することとなる。ここで、第二支持部材３２は下方に移動していないため第一スライド支持部１７１も移動しないので、ピン部材７１は第一スライド支持部１７１により上下方向の移動が制限されている。
このため、図１３に示すように、レバー部材７６を下方に移動することで、ピン部材７１は、レバー部材７６に形成された第二スライド支持部１７２に対して相対的に上下方向上側へ移動することとなる。すなわち、ピン部材７１は、第二スライド支持部１７２において下側に位置する第二スライド支持部１７２の一端部Ｓ１から、上側に位置する第二スライド支持部１７２の他端部Ｓ２へと相対移動し、これに伴ってスライド方向に沿っても移動することとなる。
これにより、ピン部材７１は、第一スライド支持部１７１及び第一案内溝７４内でもスライド方向に移動し、第一スライド支持部１７１の他端部Ｆ２、第一案内溝７４と連通する第一凹部７２内に位置し、ピン部材７１が第一凹部７２と係合される係合状態へと切り替わる。そして、係合状態では、ピン部材７１が第二凹部７３に係合された時と同様にスプリング７８の付勢力により係合状態が確実に維持される。
【００３８】
そして、第一凹部７２が第一調整領域Ｒ１と対応する位置に形成されていることから、図５に示すように、第一調整領域Ｒ１としてカート天板４及び下面取付部材６をテーブル天板Ｂの上面Ｂ１より高い位置に、カート装置１の高さを調整することができる。よって、執務者は高い領域内で最適な高さにカート装置１の高さを調整することができるので、執務者の使い勝手を良好にし、作業性を向上させる。
さらに、カート天板４下方に設けられて前方、左方及び右方に連続して開口する前部空間９に、テーブル天板Ｂを配設することができるので、カート装置１及びテーブル什器Ｔの設置面積を最小限にすることが可能となり、執務空間を有効に活用することができる。
さらに、本実施形態では、第一調整領域Ｒ１と対応して複数の第一凹部７２が形成されているので、複数の位置にカート天板４の高さを調整することができる。よって、特に、カート天板４の下方に設けられた前部空間９にテーブル天板Ｂを配設した状態で、執務者にとってより最適なカート天板４の高さにて執務をすることができるので、使い勝手をより一層良好にすることができる。また、複数の執務者が同一のカート天板４を使用する場合には、執務者それぞれにとって最適なカート天板４の高さに、カート装置１の高さを調整することができるので、利便性が高い。
また、上記のとおり、高さ調整手段７は、第一調整領域Ｒ１と第二調整領域Ｒ２の間の固定不可領域Ｒ３では、カート天板４の固定が不可能なので、カート天板４及び下面取付部材６とテーブル天板Ｂが干渉する高さに、カート装置１のカート天板４の高さを調整することができない。よって、カート天板４及び下面取付部材６とテーブル天板Ｂが不用意に干渉してしまうことがないので、執務者の使用時の安全性も十分に配慮される。
【００３９】
また、下面取付部材６として、カート天板４の下面に物品載置部６１が設けられているので、執務者は使用時に必要な物品を物品載置部６１に載置することができ、作業性を向上し、使い勝手を良好にする。
また、物品載置部６１がカート天板４の下面に支持されているので、物品の荷重をカート装置１にて確実に支持し転倒する恐れがないので、執務者の使用時の安全性にも十分配慮される。
【００４０】
尚、上述の動作手順おいては、第二調整領域Ｒ２から固定不可領域Ｒ３、第一調整領域Ｒ１への高さ調整について説明したが、第一調整領域Ｒ１から固定不可領域Ｒ３、第二調整領域Ｒ２への高さ調整についても同様である。
すなわち、第一調整領域Ｒ１から固定不可領域Ｒ３への切替は、第二調整領域Ｒ２から固定不可領域Ｒ３への切替と同じ手順となる。
そして、下方向への移動については、レバー部材７６の把持部１７８を把持し、下向きに力を加えると、ガススプリング７７に下向きの付勢力が作用し、カート天板４を下方に移動させることが可能となる。
また、固定不可領域Ｒ３から第二調整領域Ｒ２への切替は、固定不可領域Ｒ３から第一調整領域Ｒ１への切替と同じ手順となる。
【００４１】
なお、本実施形態では被係合部であるピン部材７１は第二支持部材３２に、第一係合部である第一凹部７２及び第二係合部である第二凹部７３は第一支持部材３１にそれぞれ設けられているが、ピン部材７１が第一支持部材３１に、第一凹部７２及び第二凹部７３が第二支持部材３２にそれぞれ設けられていてもよい。この場合は、例えば、ピン部材７１が第一支持部材３１の内装部１３７より中心軸に向かって突設し、第二支持部材３２の外周面には第一凹部７２、第二凹部７３、及び第一案内溝７４がピン部材７１と係合及び解除可能に配されることとなる。
【００４２】
（第一実施形態の変形例）
なお、上記において、第二調整領域Ｒ２として、カート天板４の上面４ａの高さをテーブル天板Ｂの下面の高さと略等しい高さに設定するものとしたが、少なくともカート天板４の上面４ａの高さをテーブル天板Ｂの下面の高さと以下に設定可能であれば良い。
すなわち、図１４に示すように、第二調整領域Ｒ２を、カート天板４の上面４ａの高さをテーブル天板Ｂの下面より低い位置としてもよい。
【００４３】
このような構成では、第二調整領域Ｒ２では、カート天板４の上面４ａの高さをテーブル天板Ｂの上面Ｂ１より低い位置に、カート装置１の高さを調整することができる。よって、執務者は低い領域内で最適な高さにカート装置１の高さを調整することができるので、執務者の使い勝手を良好にし、作業性を向上させる。
また、テーブル天板Ｂの下方に設けられた空間に、カート天板４を配設することができるので、カート装置１及びテーブル什器Ｔの設置面積を最小限にすることが可能となり、執務空間を有効に活用することができる。
【００４４】
なお、上述した実施の形態において示した動作手順、あるいは各構成部材の諸形状や組み合わせ等は一例であって、本発明の主旨から逸脱しない範囲において設計要求等に基づき種々変更可能である。
【符号の説明】
【００４５】
１…カート装置
２…ベース部
３…支持基体
４…カート天板
５…天板支持部
６…下面取付部材
７…高さ調整手段
９…前部空間
２１…キャスター
３１…第一支持部材
３２…第二支持部材
６１…物品載置部
７１…ピン部材（被係合部）
７２…第一係合部（第一凹部）
７３…第二係合部（第二凹部）
７４…第一案内溝（案内部）
７５…切替部
１７１…第一スライド支持部
１７２…第二スライド支持部
【図１】
2013017703.tif 000003
【図２】
2013017703.tif 000004
【図３】
2013017703.tif 000005
【図４】
2013017703.tif 000006
【図５】
2013017703.tif 000007
【図６】
2013017703.tif 000008
【図７】
2013017703.tif 000009
【図８】
2013017703.tif 000010
【図９】
2013017703.tif 000011
【図１０】
2013017703.tif 000012
【図１１】
2013017703.tif 000013
【図１２】
2013017703.tif 000014
【図１３】
2013017703.tif 000015
【図１４】
2013017703.tif 000016